(57)【特許請求の範囲】
【請求項１】
カーテンレール（１１）を走行するランナー（１２）に、カーテン布帛（１３）の上縁（１４）の先後両端を連結して吊り下げられ、設定された所定の幅Ｗを保ってカーテンレール（１１）の長さ方向に移動し開閉操作されるパネル型カーテン（１５）において、カーテン布帛（１３）の上縁部分と下縁部分のそれぞれに桿材（１６・１７）が取り付けられており、それらの桿材（１６・１７）によってカーテン布帛（１３）の幅Ｗが所定の寸法に設定されており、１本のカーテンレール（１１）に複数枚のパネル型カーテン（１５ａ・１５ｂ）が吊り下げられており、その隣合う一方のパネル型カーテン（１５ｂ）の上縁の一端に連結されたランナー（１２ａ２）が、その隣合う他方のパネル型カーテン（１５ａ）の上縁の先端に連結されたランナー（１２ａ１）と後端に連結されたランナー（１２ｂ１）との先後両端の２つのランナー（１２ａ１と１２ｂ１）の間に介在しており、カーテン布帛（１３）の上縁（１４）の先後両端にランナー（１２）に係合するフック（１８）が取り付けられており、それら先後両端のフック（１８）とフック（１８）の間に桿材（１９）が架け渡されており、その桿材（１９）がカーテン布帛（１３）の外面に露出していることを特徴とするパネル型カーテン。
【発明の詳細な説明】
【０００１】
【発明の属する技術分野】
本発明は、カーテンレールを走行するランナーにカーテン布帛の上縁の先後両端を連結して吊り下げられ、設定された所定の幅を保ってカーテンレールの長さ方向に移動し開閉操作されるパネル型カーテンに関するものである。
【０００２】
【従来の技術】
カーテンレールを走行するランナーにカーテン布帛の上縁の先後両端を連結して吊り下げられ、設定された所定の幅を保ってカーテンレールの長さ方向に移動し開閉操作されるパネル型カーテンは、パネルスクリーンとの名称をもって実開昭５９−５８１９８（実公平１−７８３０）と実開昭５９−６７４９７（実公平１−７８３１）に開示されており、又、実開昭５４−１７９９２１にも記載され公知である。
【０００３】
【発明が解決しようとする課題】
前記の実開昭５９−５８１９８と実開昭５９−６７４９７に開示されているように、従来のパネル型カーテンでは、それを使用するには平行に並べた少なくとも２本のカーテンレールが必要になる。このため、既設の１本のカーテンレールに吊り下げられている既存の通常のカーテンに代えてパネル型カーテンを使用することは出来ず、既存の通常のカーテンに代えてパネル型カーテンを使用するには、カーテンレールを増設したり、既設のカーテンレールをパネル型カーテン専用のカーテンレールに取り替えなければならなくなる。しかし、カーテンレールの取付箇所は、窓枠やその周辺の狭い壁面に限られており、それが手の届かない高所であり、壁面下地が石膏ボードや合板であるときはカーテンレールを確り固定するために壁面下地の手直しが必要になり、コンクリートの壁面にはカーテンレールを容易に固定することは出来ず、その増設や取替は専門業者によらざるを得ず、容易にはパネル型カーテンを使用することが出来ない。又、そのように少なくとも２本のカーテンレールを必要とするので、パネル型カーテンを吊るすと、カーテンレールが１本増えた分だけ居住空間が狭まることになり、この点でもパネル型カーテンは狭小な一般家庭には不向きなものとされている。
【０００４】
【発明の目的】
そこで本発明は、適宜簡便且つ容易に通常のカーテンに取り代えて使用することが出来、その使用によって居住空間が狭められることがなく、一般家庭での使用に適したパネル型カーテンを提供することを目的とする。
【０００５】
【課題を解決するための手段】
即ち、本発明は、カーテンレール１１を走行するランナー１２に、カーテン布帛１３の上縁１４の先後両端を連結して吊り下げられ、設定された所定の幅Ｗを保ってカーテンレール１１の長さ方向に移動し開閉操作されるパネル型カーテン１５において、カーテン布帛１３の上縁部分と下縁部分のそれぞれに桿材１６・１７が取り付けられており、それらの桿材１６・１７によってカーテン布帛１３の幅Ｗが所定の寸法に設定されており、１本のカーテンレール１１に複数枚のパネル型カーテン１５ａ・１５ｂが吊り下げられており、その隣合う一方のパネル型カーテン１５ｂの上縁の一端に連結されたランナー１２ａ２が、その隣合う他方のパネル型カーテン１５ａの上縁の先端に連結されたランナー１２ａ１と後端に連結されたランナー１２ｂ１との先後両端の２つのランナー１２ａ１と１２ｂ１の間に介在することを第１の特徴とする。
【０００６】
本発明は、カーテンレール１１を走行するランナー１２に、カーテン布帛１３の上縁１４の先後両端を連結して吊り下げられ、設定された所定の幅Ｗを保ってカーテンレール１１の長さ方向に移動して開閉操作されるパネル型カーテン１５において、カーテン布帛１３の上縁１４の先後両端にランナー１２に係合するフック１８が取り付けられており、それら先後両端のフック１８とフック１８の間に桿材１９が架け渡されており、その桿材１９がカーテン布帛１３の外面に露出していることを第２の特徴とする。
【０００７】
【発明の実施の形態】
上縁部分の桿材１６は、水平に揃えた上縁１４の両端を掴んでカーテン布帛１３を吊り下げたとき、上縁１４に中弛みが生じたり、上縁１４が弓形に変形して先後両端間の距離がカーテン布帛１３の幅Ｗよりも狭くならないように、上縁１４を真っ直ぐに揃えるテンションバーとして取り付けられるものであり、それには細く軽い金属パイプや木や竹、アルミニウム等の硬くて薄く軽い細幅の平板を使用するとよい。下縁部分の桿材１７は、カーテン布帛１３を緊張状態に保つウェイトバーとして取り付けられるものであり、それには高重量の金属桿材を使用するとよい。そのように下縁部分の桿材１７を高重量にしても、それが上縁部分の桿材１６と平行になっていれば、桿材１７の重量は、それを吊り上げているランナー１２に直接作用するので、その重量によって上縁部分の桿材１６が撓むことはない。即ち、上下に桿材１６・１７を取り付けて吊り下げたカーテン布帛１３は、布帛の幅を一定に揃えるためのテンションバーと昇降をスムースにするためのウェイトバーを上縁部分と下縁部分に取り付けて吊り下げられたローマンシエードカーテンと同じ状態になる。
【０００８】
カーテン布帛１３の上縁部分と下縁部分には、それぞれ上下の桿材１６・１７を差し込んで取り付けるためのカーテン布帛１３の幅方向（Ｗ）に連続した袋溝状空洞２６・２７を形成しておくとよい。カーテン布帛１３の上縁部分の桿材１６の上側には、通常のカーテンと同様に、芯地２５を付け、その芯地２５にフック１８を取り付け、或いは、その芯地２５と共に折り返し、その折返代にフック１８を取り付ける。
【０００９】
１本のカーテンレール１１に吊り下げられた複数枚のパネル型カーテン１５ａ・１５ｂの中の隣合う一方のパネル型カーテン１５ｂの上縁の一端に連結されたランナー１２ａ２が、その隣合う他方のパネル型カーテン１５ａの上縁の先端に連結されたランナー１２ａ１と後端に連結されたランナー１２ｂ１との先後両端の２つのランナー１２ａ１と１２ａｂ１の間に介在するようにすると、その隣合う何れのパネル型カーテン１５ａ・１５ｂも、互いに一方１５ａの両端のランナー１２ａ１とランナー１２ｂ１の間に位置する他方１５ｂのランナー１２ａ２は、その一方１５ａの両端の何れかのランナー１２ａ１（又は１２ｂ１）に突き当たるまで、その一方１５ａの両端のランナー１２ａ１と１２ｂ１の間を自由に走行して開閉操作され、その一方のパネル型カーテン１５ａの何れかのランナー１２ａ１（又は１２ｂ１）に他方のパネル型カーテン１５ｂのランナー１２ａ２が突き当たるときは、その隣合う２枚のパネル型カーテン１５ａ・１５ｂは、表裏二重に重なり合ってカーテンの開かれた状態になるか、又は、左右隣合って並んでカーテンの閉じられた状態になる。
【００１０】
図２では、一方のパネル型カーテン１５ａの左端のランナー１２ａ１に他方のパネル型カーテン１５ｂの左端ランナー１２ａ２が突き当たるときは、２枚のパネル型カーテン１５ａ・１５ｂが二重に重なり合ってカーテンの開かれた状態になり、その一方のパネル型カーテン１５ａの右端のランナー１２ｂ１に他方のパネル型カーテン１５ｂの左端のランナー１２ａ２が突き当たるときは、２枚のパネル型カーテン１５ａ・１５ｂが左右隣合って並んでカーテンの閉じられた状態になる。図２に図示される２枚のパネル型カーテン１５ａ・１５ｂの開閉状態は、１本のカーテンレールに３枚以上のパネル型カーテンを吊り下げた場合に隣合う何れのパネル型カーテンの間でも同様であり、そのカーテンの開かれた状態では、その３枚以上のパネル型カーテンが、その枚数に応じて表裏多重に重なるので、前記実開昭５９−５８１９８と実開昭５９−６７４９７に開示されたパネル型カーテン装置（パネルスクリーン）の場合と同様に、パネル型カーテンを取り付けた建物の開口部を広く開閉操作することが出来る。
【００１１】
本発明のパネル型カーテンの開閉操作時には、そのランナー１２の開閉移動に伴って隣合うパネル型カーテン１５ａ・１５ｂの上縁１４と上縁１４が擦れ易くなる。フック間１８・１８に架け渡す桿材１９は、そのような不都合を回避するため、開閉操作時に隣合うパネル型カーテン１５ａ・１５ｂの上縁１４と上縁１４が直接触れ合わないように隔てるガイドバーの役目をなすものであり、それには表面が平滑に仕上げられた桿材が使用される。又、パネル型カーテンの開閉操作時に隣合うパネル型カーテン１５ａ・１５ｂの上縁１４と上縁１４が強く触れ合わないようにするためにも、カーテン布帛１３の上縁部分に芯地２５を付け、その芯地２５にフック１８を取り付け、或いは、その芯地２５と共に折り返し、その折返代にフック１８を取り付け、テンションバーとしての桿材１６は、ガイドバーとしての平滑な桿材１９の下側に、より好ましくは、フック１８の下側に取り付ける。
【００１２】
図示する実施例で使用されているフック１８は、通常のカーテン布帛に取り付けられるラチェット付き軸桿２０と、そのラチェットに噛み合う爪が付設されたフック部材２１とによって構成され、軸桿２０の長さ方向にフック部材２１を移動してカーテン布帛の吊り高さを調整することの出来るプラスチック製高さ調整型カーテンフックであり、そのフック部材２１に付設された輪奈２２に先端２３を嵌め込んで桿材２０がフック１８とフック１８の間で支架されている。このように輪奈２２の付設されたカーテンフック１８は、特開２００１−１４５５５６や特開２０００−５１０６５や実開平６−２５１に開示されているように、その輪奈２２に、そのカーテンフックの装着されたカーテン布帛とは別のカーテン布帛を引っ掛けて二重に吊るす二重カーテン用フックとして考案された一般市販品であり、本発明を簡便に実施する上では、その輪奈２２の付設された一般市販の二重カーテン用フック１８を使用するとよい。
【００１３】
図１と図２において、２４は、桿材１９の先端２３が必要以上に輪奈２２から突き出ないように係止するためのストッパーであり、桿材１９に外嵌し密着しており、その桿材１９によってフック１８（軸桿２０）がズレたり横倒れしないようになっている。
【００１４】
【発明の効果】
本発明（請求項１）によると、複数枚のパネル型カーテンを移動し開閉するためのカーテンレールが１本で済むので、既設の１本のカーテンレールに吊り下げられている既存の通常のカーテンに代えてパネル型カーテンを使用することが出来、その使用にカーテンレールを増設したり取り替える必要はなく、その使用によって居住空間が狭められることもない。このため本発明は、パネル型カーテンを広く普及させる上でも頗る好都合である。
【００１５】
本発明（請求項２）によると、開閉操作時に隣合うパネル型カーテンの上縁が直接触れ合うことなく、その開閉操作をスムースに行うことが出来る。
【図面の簡単な説明】
【図１】本発明に係るパネル型カーテンの斜視図であり、その一部を円で囲んで拡大して図示している。
【図２】本発明に係るパネル型カーテンの開閉操作状態を示す要部斜視図である。
【符号の説明】
１１  カーテンレール
１２・１２ａ１・１２ｂ１・１２ａ２  ランナー
１３  カーテン布帛
１４  上縁
１５・１５ａ・１５ｂ  パネル型カーテン
１６・１７  桿材
１８  フック
１９  桿材
２０  軸桿
２１  フック部材
２２  輪奈
２３  先端
２４  ストッパー
２５  芯地
２６・２７  袋溝状空洞
Ｗ    カーテン布帛の幅
【図１】
0003728663.tif 000002
【図２】
0003728663.tif 000003